(57)【要約】【課題】１台のカメラにより車両のナンバープレートを撮影しつつ、車番認識に必要な解像度の撮影画像を得るとともに撮影失敗のリスクを低減する。【解決手段】エリアセンサ３は、対象物までの距離を測定する測距部３ａと、入口から敷地内に向けて３段階の検知エリア群を設定する検知エリア設定部３ｂと、測距データおよび検知エリア群に基づいて自動車の位置を検知する車両検知部３ｃと、自動車の検知位置に応じてカメラ４の動作を制御する撮影制御部３ｄとを備える。撮影制御部３ｄは、車両検知部３ｃにより自動車の敷地内への進入が検知されると、カメラ４の位置決め動作を開始し、自動車の撮影を実行する前の時点から、自動車の検知位置の変化に追従するようにカメラ４の撮影位置を順次変更し、最終段の検知エリア群にて自動車が検知されると、その検知位置を最終的な撮影位置として決定し、カメラ４による静止画の撮影を実行する。【選択図】図１
2015177333.tif 000002
【特許請求の範囲】
【請求項１】
入口から敷地内に進入する車両のナンバープレートを撮影するものであり且つ撮影位置を変更可能に構成されたカメラの動作を制御する撮影制御部と、
前記車両の位置を検知するための平面状の検知エリアを設定する検知エリア設定部と、
前記検知エリア設定部により設定される前記検知エリアに基づいて前記車両の位置を検知する車両検知部と、
を備え、
前記検知エリア設定部は、複数の前記検知エリアを前記入口の幅方向に並べた検知エリア群を、前記入口から前記敷地内に向けて多段階に設定し、
前記検知エリア群のうち前記入口に最も近い初段の検知エリア群は、２つ以上の前記検知エリアから構成され、次段以降の検知エリア群は、それぞれ前段の検知エリア群における前記検知エリアの数より多い数の前記検知エリアから構成され、
前記撮影制御部は、前記検知エリア群のうち前記入口に最も近い初段の検知エリア群の検知エリアにて前記車両が検知されると、前記初段の検知エリア群および次段以降の各検知エリア群にて前記車両が検知された前記検知エリアに向けて前記カメラの撮影位置を変更する位置決め動作を順次行い、前記検知エリア群のうち前記入口から最も遠い最終段の検知エリア群にて前記車両が検知された前記検知エリアを最終的な前記カメラの撮影位置として決定し、前記車両の撮影を実行することを特徴とするカメラ制御装置。
【請求項２】
前記車両検知部は、前記初段の検知エリア群を参照することにより、前記車両の敷地内への進入を検知すると、その後は、次段以降の前記検知エリア群を順番に参照することにより、前記車両の検知を行うことを特徴とする請求項１に記載のカメラ制御装置。
【請求項３】
前記車両検知部は、２段目以降の前記検知エリア群を参照する際、その前段の前記検知エリア群にて前記車両を検知した前記検知エリアと幅方向の位置が近い検知エリアから優先的に参照することを特徴とする請求項２に記載のカメラ制御装置。
【請求項４】
前記車両検知部は、所定の前記検知エリア群の前記検知エリアにて前記車両を検知すると、次段の前記検知エリア群の前記検知エリアのうち前記所定の検知エリア群にて前記車両を検知した前記検知エリアに対応する前記検知エリアおよびそれに隣接する前記検知エリアを参照することにより前記車両の検知を行うことを特徴とする請求項２に記載のカメラ制御装置。
【請求項５】
前記車両検知部は、前記検知エリア内における前記車両の概略位置を検知可能に構成されており、
前記検知エリア設定部は、
２段目以降の前記検知エリア群おける各検知エリアの配置を調整する配置調整処理を行い、
前記配置調整処理では、
前段の前記検知エリア群にて前記車両が検知された前記検知エリア内における前記車両の概略位置から前記車両の移動軌跡を予測し、
その予測した移動軌跡に基づいて、前記車両を検知エリアの幅方向中心で捉えるように、各検知エリアの幅方向の配置を調整することを特徴とする請求項２から４のいずれか一項に記載のカメラ制御装置。
【請求項６】
前記車両検知部は、前記車両の中心を点で捉えることにより、その位置を検知するようになっており、
前記撮影制御部は、前記最終段の検知エリア群の前記検知エリアにて前記車両が検知されると、その検知エリアに対して所定のマージンを持つ程度の画角でもって前記車両の撮影を行うことを特徴とする請求項１から５のいずれか一項に記載のカメラ制御装置。
【発明の詳細な説明】
【技術分野】
【０００１】
本発明は、入口から敷地内に進入する車両のナンバープレートを撮影するカメラを制御するカメラ制御装置に関する。
【背景技術】
【０００２】
店舗に来店する客の自動車（車両）のナンバー（車番）に基づいて顧客を判別するといったシステムが考えられている。このようなシステムでは、入口から敷地内に進入する自動車のナンバープレートがカメラにより撮影され、その撮影画像から車番の認識が行われる（例えば、特許文献１参照）。
【先行技術文献】
【特許文献】
【０００３】
【特許文献１】特許第４０３８２３２号公報
【発明の概要】
【発明が解決しようとする課題】
【０００４】
しかし、上記従来技術では、入口の横幅が比較的広い場合、その入口全体を１台のカメラで撮影しようとすると、車番認識に必要な解像度（画素数）の撮影画像が得られなくなるおそれがある。このような問題の対策としては、複数のカメラで入口全体を撮影する方法、または１台のＰＴＺ（パン・チルト・ズーム）カメラを用いて移動する自動車に追従するように撮影位置を移動させる方法が考えられる。
【０００５】
しかし、前者の方法では、ナンバープレートを撮影するための専用のカメラを複数設ける必要があり、その分だけ、システムのコストが増加する問題がある。また、後者の方法では、敷地内に進入する自動車の速度が比較的速い場合、その移動にＰＴＺ制御が間に合わず、ナンバープレートの撮影に失敗する可能性が高くなる。
【０００６】
本発明は上記事情に鑑みてなされたものであり、その目的は、１台のカメラにより車両のナンバープレートを撮影しつつ、車番認識に必要な解像度の撮影画像を得るとともに撮影失敗のリスクを低減することができるカメラ制御装置を提供することにある。
【課題を解決するための手段】
【０００７】
請求項１に記載のカメラ制御装置は、入口から敷地内に進入する車両のナンバープレートを撮影するカメラの動作を制御する撮影制御部、車両の位置を検知するための平面状の検知エリアを設定する検知エリア設定部、検知エリア設定部により設定される検知エリアに基づいて車両の位置を検知する車両検知部を備えている。カメラは、その撮影位置を変更可能に構成されている。検知エリア設定部は、複数の検知エリアを入口の幅方向に並べた検知エリア群を、入口から敷地内に向けて多段階に設定する。撮影制御部は、車両検知部により検知される車両の位置に応じて、カメラの撮影位置を変更しつつ撮影を実行する。
【０００８】
すなわち、撮影制御部は、検知エリア群のうち入口に最も近い初段の検知エリア群の検知エリアにて車両が検知されると、次のような位置決め動作を行う。位置決め動作では、まず初段の検知エリア群にて車両が検知された位置（検知エリア）に向けてカメラの撮影位置が変更される。その後、次段の検知エリア群にて車両が検知されると、その次段の検知エリア群にて車両が検知された位置に向けてカメラの撮影位置が変更される。このような位置決め動作は、入口から最も遠い最終段の検知エリア群にて車両が検知されるまで、順次行われる。そして、最終段の検知エリア群にて車両が検知されると、その最終段の検知エリア群にて車両が検知された検知エリアが最終的なカメラの撮影位置として決定され、車両の撮影が実行される。
【０００９】
このように、撮影制御部は、車両検知部によって車両の敷地内への進入が検知されるとカメラの位置決め動作を開始し、車両の撮影を実行する前から、車両検知部により検知される車両の位置の変化に合わせて（追従するように）カメラの撮影位置を順次変更するようになっている。そして、この場合、検知エリア群のうち入口に最も近い初段の検知エリア群は、２つ以上の検知エリアから構成され、次段以降の検知エリア群は、それぞれ前段の検知エリア群における検知エリアの数より多い数の検知エリアから構成されている。つまり、多段階に設定された検知エリア群における検知エリアは、入口から敷地内へと進むほど数が多くなり、一つの検知エリアの幅方向の寸法が小さくなる（車両位置検知の分解能が高くなる）。従って、上述したカメラの位置決め動作において、カメラの撮影位置の変更量（移動量）は、車両が入口から敷地内に向けて進むほど、つまり車両の撮影が実行されるタイミングが近づくほど小さくなる。そのため、カメラの撮影位置の変更速度（移動速度）が比較的遅い場合、敷地内に進入する車両の速度が比較的速い場合などであっても、その移動に追従して適切な撮影位置での撮影を行うことができる。
【００１０】
また、この場合、カメラの撮影範囲としては、入口の全域を収める必要はなく、最終段の検知エリア群における１つの検知エリアを収める程度良いため、撮影画像の解像度が大きく低下することはない。従って、本手段によれば、入口の幅が比較的広いカーディーラーなどの店舗であっても、１台のカメラにより入口から敷地内に進入する車両のナンバープレートを撮影しつつ、車番認識に必要な解像度の撮影画像を得るとともに撮影失敗のリスクを低減することができる。
【００１１】
請求項２に記載の手段では、車両検知部は、初段の検知エリア群を参照することにより、車両の敷地内への進入を検知すると、その後は、次段以降の検知エリア群を順番に参照することにより、その車両の検知を行う。このようにすれば、車両検知部が１度に参照する検知エリア群は１つでよい。従って、車両検知部および検知エリア設定部における処理負荷を軽減することができる。
【００１２】
入口から敷地内に進入する車両の移動方向が急激に変化することは少ない。そのため、所定段の検知エリア群を車両が通過する位置（検知エリア）は、その前段の検知エリア群にて車両が検知された検知エリアに近い位置になる可能性が高い。そこで、請求項３に記載の手段では、車両検知部は、２段目以降の検知エリア群を参照する際、その前段の検知エリア群にて車両を検知した検知エリアと幅方向の位置が近い検知エリアから優先的に参照する。つまり、本手段では、２段目以降の検知エリア群を参照する際には、車両が通過する可能性の高い検知エリアから優先的に参照することで車両の検知を行う。このようにすれば、車両が通過する位置とは異なる検知エリアを参照しているうちに、車両が次段の検知エリア群に進んでしまう、といった車両の検知漏れの発生を抑制することができる。
【００１３】
請求項４に記載の手段では、車両検知部は、所定段の検知エリア群の検知エリアにて車両を検知すると、その次段の検知エリア群の検知エリアのうち所定段の検知エリア群にて車両を検知した位置（検知エリア）に対応する検知エリアおよびそれに隣接する検知エリアを参照することにより車両の検知を行う。このようにすれば、車両検知部が１度に参照する検知エリアは、入口から遠くなるほど少なくなる。しかも、この場合、単純に参照する検知エリアを少なくしているのではなく、車両が移動し得る可能性の少ない検知エリアを参照対象から除外することで参照する検知エリアを少なくしている。従って、本手段によれば、車両の検知漏れの発生を抑制しつつ、車両検知部および検知エリア設定部における処理負荷を一層軽減することができる。
【００１４】
請求項５に記載の手段では、車両検知部は、検知エリア内における車両の概略位置を検知可能に構成されている。また、検知エリア設定部は、２段目以降の検知エリア群における各検知エリアの配置を調整する配置調整処理を行う。この配置調整処理では、検知エリア設定部は、前段の検知エリア群にて車両が検知された検知エリア内における車両の概略位置から車両の移動軌跡を予測する。そして、検知エリア設定部は、予測した移動軌跡に基づいて、車両を検知エリアの幅方向中心で捉えるように各検知エリアの幅方向の配置を調整する。このように、２段目以降の検知エリア群における検知エリアの配置を動的に変更すれば、車両の検知漏れの発生を抑制しつつ、最終的にカメラの画角の中央に車両（のナンバープレート）を収めることができるので、車番認識に必要な撮影画像を一層確実に得ることができる。
【００１５】
請求項６に記載の手段では、車両検知部は、車両の中心を点で捉えることにより、その位置を検知するようになっている。一方、検知エリアは平面状になっている。従って、車両が所定の検知エリアにて検知された場合、平面状である上記所定の検知エリア内に、必ず車両の中心（点）が存在することになる。また、一般に、車両のナンバープレートは、その車両の中心付近に存在する。このようなことから、請求項１に記載した手段のように、最終段の検知エリア群にて車両が検知された検知エリアが収まる範囲を最終的なカメラの撮影位置（画角）とすれば、ナンバープレートを確実に撮影することができる。
【００１６】
ただし、検知エリアが丁度収まる程度の画角でもって撮影を行うと、最終段の検知エリア群にて車両が検知された位置が検知エリアの端であった場合、ナンバープレートの一部が撮影できなくなる可能性がある。そこで、本手段では、撮影制御部は、最終段の検知エリア群の検知エリアにて車両が検知されると、その検知エリアに対して所定のマージンを持つ程度の画角でもって車両の撮影を行う。このようにすれば、最終段の検知エリア群にて車両が検知された位置に関係なく、車両のナンバープレートを確実に撮影することができる。
【図面の簡単な説明】
【００１７】
【図１】第１の実施形態を示すもので、車番認識システムを構成する各機能を表す図
【図２】車番認識システムの概略的な構成図
【図３】位置決め動作および撮影動作の具体的例を説明するための図
【図４】最終段の検知エリアおよびカメラの画角の関係を示す図
【図５】第２の実施形態を示す図２相当図
【図６】第３の実施形態を示す図２相当図
【発明を実施するための形態】
【００１８】
以下、本発明の複数の実施形態について図面を参照して説明する。なお、各実施形態において実質的に同一の構成には同一の符号を付して説明を省略する。
（第１の実施形態）
以下、本発明の第１の実施形態について図１〜図４を参照して説明する。
図１に示す車番認識システム１は、例えばカーディーラーなどの店舗において用いられるもので、店舗に来店する客の自動車（図２に符号２を付して示す）のナンバー（車番）を認識するものである。このような車番認識システム１によって認識された車番を元に顧客情報が記憶されたデータベースを参照すれば、来店客の情報（顧客情報）の確認を行うことができ、来店客を待たせることなく、適切なサービスを速やかに提供することが可能となる。
【００１９】
車番認識システム１は、エリアセンサ３、カメラ４および画像処理装置５を備えている。エリアセンサ３は、例えばレーザレーダ装置であり、検出方向（この場合、水平方向）に回転しながらレーザビームを断続的に放射するとともに、そのレーザビームの反射光を受光し、レーザビームの放射時点から反射光の受光時点までの時間に基づいて、そのレーザビームを反射した対象物までの距離を測定する。
【００２０】
エリアセンサ３は、上記したようにして対象物までの距離を測定する測距部３ａに加え、検知エリアを設定する検知エリア設定部３ｂ、自動車２の位置を検知する車両検知部３ｃおよびカメラ４の動作を制御する撮影制御部３ｄを備えている。本実施形態では、検知エリア設定部３ｂ、車両検知部３ｃおよび撮影制御部３ｄにより、カメラ制御装置６が構成される。なお、カメラ制御装置６としての各機能は、エリアセンサ３が必ずしも備える必要はなく、エリアセンサ３とは別の外部の装置を用いて実現してもよい。
【００２１】
検知エリア設定部３ｂは、入口Ｇから敷地内に進入する自動車２（車両に相当）の位置を検知するための検知エリアを仮想的に設定する。検知エリアは、エリアセンサ３の検出方向である水平方向の平面（水平面）上の座標によって定義される。具体的には、検知エリア設定部３ｂは、図２に示すように、複数の矩形状をなす検知エリアを入口Ｇの幅方向（図２中、左右方向）に並べた検知エリア群７〜９を、入口Ｇから敷地内に向けて多段階（本実施形態では３段階）に設定する。これら３つの検知エリア群７〜９は、いずれも入口Ｇの幅方向の全域をカバーするように設けられている。
【００２２】
１段目の検知エリア群７（初段の検知エリア群に相当）は、２つの検知エリアＥ１１、Ｅ１２が入口Ｇの幅方向に並ぶように配置された構成となっている。なお、１段目の検知エリア群７は、自動車２の敷地内への進入を速やかに検知するため、入口Ｇに近接する位置に設けられている。２段目の検知エリア群８は、１段目の検知エリアＥ１１、Ｅ１２の１／２の幅を持つ（幅方向の寸法が１／２である）４つの検知エリアＥ２１〜Ｅ２４が入口Ｇの幅方向に並ぶように配置された構成となっている。
【００２３】
３段目の検知エリア群９（最終段の検知エリア群に相当）は、２段目の検知エリアＥ２１〜Ｅ２４の１／２の幅を持つ（幅方向の寸法が１／２である）８つの検知エリアＥ３１〜Ｅ３８が入口Ｇの幅方向に並ぶように配置された構成となっている。なお、後述するように、３段目の検知エリア群９は、自動車２の撮影位置となる。自動車２の撮影位置が駐車スペースＰの中にあると、駐車のための旋回動作などの影響でナンバープレート２ａの撮影ができなくなる可能性があるため、３段目の検知エリア群９は、駐車スペースＰより手前（入口Ｇ寄り）の位置に設けられている。
【００２４】
このように、検知エリア群７〜９のうち入口Ｇに最も近い初段の検知エリア群７は、２つの検知エリアＥ１１、Ｅ１２から構成され、次段以降の検知エリア群８、９は、それぞれ前段の検知エリア群（７、８）における検知エリアの数（２つ、４つ）より多い数（４つ、８つ）の検知エリアから構成されている。
【００２５】
車両検知部３ｃは、測距部３ａから与えられる測距データおよび検知エリア設定部３ｂにより設定される検知エリアＥ１１〜Ｅ３８に基づいて自動車２の位置を検知する。具体的には、車両検知部３ｃは、測距データから得られる自動車２の水平方向における位置（水平面上の座標）および全ての検知エリアＥ１１〜Ｅ３８の座標を照らし合わせることで、入口Ｇから敷地内に進入する自動車２が、複数の検知エリアＥ１１〜Ｅ３８のうち、どの検知エリアに存在するのかを検知する。撮影制御部３ｄは、車両検知部３ｃにより検知される自動車２の位置に応じて、カメラ４の撮影位置を変更しつつ撮影を実行する（詳細は後述する）。
【００２６】
カメラ４は、ＰＴＺカメラであり、パン、チルトおよびズームを実行するＰＴＺ機能４ａ、動画を撮影する動画撮影機能４ｂおよび静止画を撮影する静止画撮影機能４ｃを備えている。カメラ４の各機能４ａ〜４ｃは、エリアセンサ３の撮影制御部３ｄから与えられる指令に基づいて実行される。カメラ４は、入口Ｇから店舗の敷地内に進入する自動車２を静止画として撮影すると、その撮影画像データを画像処理装置５に出力する。
【００２７】
画像処理装置５は、パーソナルコンピュータ（ＰＣ）などにより構成されている。画像処理装置５は、カメラ４から出力される撮影画像データから自動車２のナンバープレート２ａ部分の画像を切り出し、その切り出した画像から車番を認識する車番認識機能５ａを備えている。車番認識機能５ａは、例えばＰＣにインストールされた所定のアプリケーションを実行することにより実現されるようになっている。
【００２８】
エリアセンサ３およびカメラ４は、店舗の壁面または専用のポールなどに取り付けられている。エリアセンサ３の設置高さは、例えば地面から６０〜８０ｃｍ程度の高さとなっている。これは、レーザビームが自動車２のウィンドウ面に照射されて測距不能となる事態を防止するためである。また、カメラ４の設置高さは、エリアセンサ３の設置高さより高くなっており、例えば地面から２〜３ｍ程度の高さとなっている。
【００２９】
上記構成において、撮影制御部３ｄは、１段目の検知エリア群７にて自動車２が検知されると、次のような位置決め動作を行う。すなわち、撮影制御部３ｄは、自動車２が検知された位置、つまり検知エリアＥ１１またはＥ１２に向けて、カメラ４の撮影位置を移動させる（左右方向への移動＝パン）。このとき、撮影位置の目標（狙う位置）は、検知エリアＥ１１またはＥ１２の中央付近とする。
【００３０】
その後、撮影制御部３ｄは、２段目の検知エリア群８にて自動車２が検知されると、その検知された位置、つまり検知エリアＥ２１〜Ｅ２４のいずれかに向けて、カメラ４の撮影位置を移動させる。このときも、１段目と同様、撮影位置の目標は、検知エリアＥ２１〜Ｅ２４のいずれかの中央付近とする。
【００３１】
そして、撮影制御部３ｄは、３段目の検知エリア群９にて自動車２が検知されると、その検知された位置、つまり検知エリアＥ３１〜Ｅ３８のいずれかに向けて、カメラ４の撮影位置を移動させる。このときも、１、２段目と同様、撮影位置の目標は、検知エリアＥ３１〜Ｅ３８のいずれかの中央付近とする。上述したようにして位置決め動作が完了すると、撮影制御部３ｄは、３段目の検知エリアＥ３１〜Ｅ３８のいずれかを最終的なカメラ４の撮影位置とし、静止画の撮影を実行する。
【００３２】
このように、撮影制御部３ｄは、車両検知部３ｃによって自動車２の敷地内への進入が検知されると、直ちにカメラ４の位置決め動作を開始する。つまり、撮影制御部３ｄは、自動車２の撮影を実行する前の段階から、車両検知部３ｃにより検知される自動車２の位置の変化に追従するように、カメラ４の撮影位置を順次変更するようになっている。そのため、以下のように車両検知部３ｃによる自動車２の検知エリアの最適化を図ることにより、敷地内に進入する自動車２の速度にかかわらず、その移動に追従して適切な撮影位置での撮影を行うことができる。
【００３３】
すなわち、１段目の検知エリア群７および３段目の検知エリア群９の間隔ｌを、下記（１）式に基づいて設定する。ただし、カメラ４の撮影位置の変更（パン動作）に要する最長時間をｔｃとし、想定される自動車２の最大移動速度をｖａとする。
ｌ＝ｔｃ×ｖａ            …（１）
【００３４】
なお、最長時間ｔｃは、カメラ４が車番認識システム１専用のものであり、常時入口Ｇ付近を向いているのであれば、各検知エリア群７〜９の一方の端から他方の端まで撮影位置を移動する際に要する時間などにすればよい。また、カメラ４が車番認識システム１だけでなく、例えば敷地内の他の箇所も撮影する用途（敷地内の監視など）にも用いられる場合、入口Ｇから最も遠い箇所を向いている状態から、検知エリア群７〜９まで撮影位置を移動する際に要する時間などにすればよい。
【００３５】
次に、上記構成による位置決め動作および撮影動作の具体的な例を説明する。
この場合、図３（ａ）に示すように、車両検知部３ｃによって自動車２の敷地内への進入が検知される前には、カメラ４の撮影位置が検知エリアＥ３８を収める位置になっている。そして、１段目の検知エリアＥ１１にて自動車２が検知されると、撮影位置（画角）が検知エリアＥ１１の中央に向けて移動するようにカメラ４のパン動作が行われる（図３（ａ）参照）。続いて、２段目の検知エリアＥ２２にて自動車２が検知されると、撮影位置が検知エリアＥ２２の中央に向けて移動するようにカメラ４のパン動作が行われる（図３（ｂ）参照）。
【００３６】
その後、３段目の検知エリアＥ３３にて自動車２が検知されると、撮影位置が検知エリアＥ３３の中央に向けて移動するようにカメラ４のパン動作が行われる。この場合、１、２段目における位置決め動作により、撮影位置は既に検知エリアＥ３３のほぼ近くまで移動している。そのため、カメラ４のパン動作が行われることにより、検知エリアＥ３３がカメラ４の撮影位置となる（図３（ｃ）参照）。
【００３７】
そして、図３（ｃ）の状態において、カメラ４による静止画の撮影が実行される。この際、図４に示すように、検知エリアＥ３３に対して所定のマージンを持つ程度の画角でもって自動車２の撮影が行われる。なお、上記マージンとしては、少なくとも自動車２のナンバープレート２ａの横幅の１／２程度の長さを設定すればよい。このような画角の調整は、カメラ４の設置位置、ズーム倍率の設定などにより行うことができる。
【００３８】
以上説明したように、本実施形態のエリアセンサ３は、対象物までの距離を測定する測距部３ａと、入口Ｇから敷地内に向けて３段階の検知エリア群７〜９（検知エリアＥ１１〜Ｅ３８）を設定する検知エリア設定部３ｂと、測距データおよび検知エリアＥ１１〜Ｅ３８を照らし合わせることにより自動車２の位置を検知する車両検知部３ｃと、車両検知部３ｃにより検知される自動車２の位置に応じてカメラ４の動作を制御する撮影制御部３ｄと、を備えている。
【００３９】
そして、撮影制御部３ｄは、車両検知部３ｃにより自動車２の敷地内への進入が検知されると、カメラ４の位置決め動作を開始し、自動車２の撮影を実行する前の時点から、自動車２の検知位置の変化に追従するようにカメラ４の撮影位置を順次変更し、最終段の検知エリア群９にて自動車２が検知されると、その検知された位置を最終的な撮影位置として決定し、カメラ４による静止画の撮影を実行する。このような構成によれば、敷地内に進入する自動車２の速度が比較的速い場合であっても、その移動に追従して適切な撮影位置での撮影を行うことができる。
【００４０】
また、入口Ｇから進入した自動車２が、図２において実線矢印で示すような軌跡を通って左側の駐車スペースＰに向かうのか、または点線矢印で示すような軌跡を通って右側の駐車スペースＰに向かうのかといった挙動を確実に予測することは困難である。しかし、本実施形態の構成によれば、上述したように、敷地内に進入した自動車２の移動に追従してカメラ４の撮影位置が移動されるため、適切な撮影位置での撮影を行うことができる。
【００４１】
また、この場合、カメラ４の撮影範囲としては、入口Ｇの全域を収める必要はなく、最終段の検知エリア群９における１つの検知エリア（Ｅ３１〜Ｅ３８のいずれか）を収める程度でよい。図２に示すように、検知エリアＥ３１〜Ｅ３８の幅方向の長さは、入口Ｇの幅方向の長さの１／８程度である。従って、カメラ４による撮影画像の解像度が大きく低下することはない。このように、本実施形態によれば、入口Ｇの幅が比較的広いカーディーラーなどの店舗であっても、１台のカメラ４により入口Ｇから敷地内に進入する自動車２のナンバープレート２ａを撮影しつつ、車番認識に必要な解像度の撮影画像を得るとともに撮影失敗のリスクを低減することができる。
【００４２】
一般に、レーザレーダ装置は、対象物の中心を点として捉えるようになっている。一方、検知エリアＥ１１〜Ｅ３８は平面状になっている。従って、自動車２が所定の検知エリアにて検知された場合、平面状である上記所定の検知エリア内に、必ず自動車２の中心（点）が存在することになる。また、一般に、自動車２のナンバープレート２ａは、その自動車２の中心付近に存在する。このようなことから、前述したように最終段の検知エリア群９にて自動車２が検知された検知エリア（Ｅ３１〜Ｅ３８）が収まる範囲を最終的なカメラ４の撮影位置（画角）とすれば、ナンバープレート２ａを確実に撮影することができる。
【００４３】
ただし、検知エリアＥ３１〜Ｅ３８のいずれかが丁度収まる程度の画角でもって撮影を行うと、最終段の検知エリア群９にて自動車２が検知された位置が検知エリアＥ３１〜Ｅ３８の端であった場合（例えば図４参照）、ナンバープレート２ａの一部が撮影できなくなる可能性がある。そこで、撮影制御部３ｄは、最終段の検知エリア群９の検知エリアＥ３１〜Ｅ３８にて自動車２が検知されると、その検知エリアに対して所定のマージンを持つ程度の画角でもって自動車２の撮影を行うようにカメラ４の動作を制御する。このようにすれば、最終段の検知エリア群９にて自動車２が検知された位置に関係なく、自動車２のナンバープレート２ａを確実に撮影することができる。
【００４４】
また、車両検知部３ｃは、測距データから得られる自動車２の位置および全ての検知エリアＥ１１〜Ｅ３８を常時参照することで、自動車２が複数の検知エリアＥ１１〜Ｅ３８のうち、どの検知エリアに存在するのかを検知する。このようにすれば、自動車２の検知漏れの発生を確実に防止することができる。なお、車両検知部３ｃが自動車２を検知するためのエリアを動的に変更してもよい。すなわち、車両検知部３ｃは、１段目の検知エリア群７の検知エリアＥ１１、Ｅ１２を参照することにより、自動車２の敷地内への進入を検知すると、その後は、２段目以降の検知エリア群８、９の検知エリア（Ｅ２１〜Ｅ２４、Ｅ３１〜Ｅ３８）を順番に参照することにより自動車２の検知を行うように変更してもよい。このようにすれば、車両検知部３ｃが１度に参照する検知エリア群が１つで良くなるため、車両検知部３ｃおよび検知エリア設定部３ｂにおける処理負荷を軽減することができる。
【００４５】
さらに、この場合、車両検知部３ｃは、２段目以降の検知エリア群８、９を参照する際、その前段の検知エリア群にて自動車２を検知した検知エリアと幅方向の位置が近い検知エリアから優先的に参照するとよい。例えば、図３に示すように、１段目の検知エリア群７の検知エリアＥ１１にて自動車２が検知された場合、２段目の検知エリア群８を参照する際、最初に検知エリアＥ１１と幅方向の位置が近い検知エリアＥ２１、Ｅ２２を参照し、その後、検知エリアＥ２３→Ｅ２４という順で参照する。また、図３に示すように、２段目の検知エリア群８の検知エリアＥ２２にて自動車２が検知された場合、３段目の検知エリア群９を参照する際、最初に検知エリアＥ２２と幅方向の位置が近い検知エリアＥ３３、Ｅ３４を参照し、その後、検知エリアＥ３２、Ｅ３５→Ｅ３１、Ｅ３６→Ｅ３７→Ｅ３８という順で参照する。
【００４６】
このようにすれば、次のような効果が得られる。すなわち、入口Ｇから敷地内に進入して駐車しようとする自動車２の移動方向が急激に変化することは少ない。移動方向が急激に変化する場合、入口Ｇから入った直後にＵターンして再び入口Ｇから出ていく自動車２である可能性が高い。そのため、所定段の検知エリア群を自動車２が通過する位置（検知エリア）は、その前段の検知エリア群にて自動車２が検知された検知エリアに近い位置になる可能性が高い。従って、上記手法によれば、自動車２が通過する可能性の高い検知エリアから優先的に参照することで自動車２の検知が行われることになる。そのため、自動車２が通過する位置とは異なる検知エリアを参照しているうちに、自動車２が次段の検知エリア群に進んでしまう、といった自動車２の検知漏れの発生を抑制することができる。
【００４７】
本実施形態では、車両検知部３ｃが自動車２の敷地内への進入を常時検知（監視）しており、撮影制御部３ｄは、車両検知部３ｃにより自動車２の進入が検知されるとカメラ４の位置決め動作を開始する。従って、カメラ４は、常時、入口Ｇを向いている必要はない。そのため、本実施形態の構成によれば、カメラ４は、自動車２の進入が検知されるまでの期間は、例えば、敷地内の所定区域を監視するための動画撮影など、他の撮影動作を実行することができる。このようにすれば、カメラ４をフル稼働させることができるため、その費用対効果が向上する。
【００４８】
（第２の実施形態）
以下、本発明の第２の実施形態について、図５を参照して説明する。
本実施形態では、自動車２を検知するためのエリアを次のように動的に変更する。すなわち、車両検知部３ｃは、１段目の検知エリア群７にて車両を検知すると、２段目の検知エリア群８の検知エリアＥ２１〜Ｅ２４のうち１段目の検知エリア群７にて自動車２を検知した位置（検知エリア）に対応する検知エリアおよびそれに隣接する検知エリアを参照することにより自動車２の検知を行う。続いて、車両検知部３ｃは、３段目の検知エリア群９の検知エリア群Ｅ３１〜Ｅ３８のうち２段目の検知エリア群８にて自動車２を検知した位置に対応する検知エリアおよびそれに隣接する検知エリアを参照することにより自動車２の検知を行う。
【００４９】
次に、本実施形態における自動車２の検知方法の具体的な例を説明する。
図５に示すように、車両検知部３ｃは、１段目の検知エリアＥ１１にて自動車２を検知すると、続く２段目の検知エリアＥ２１〜Ｅ２４のうち、検知エリアＥ１１に対応する（図５中、検知エリアＥ１１の下に位置する）検知エリアＥ２１、Ｅ２２と、検知エリアＥ２２に隣接する検知エリアＥ２３を検知対象として自動車２の検知を行う。従って、２段目の検知エリア群８において、検知エリアＥ２４が検知対象外となる。
【００５０】
そして、車両検知部３ｃは、２段目の検知エリアＥ２２にて自動車２を検知すると、続く３段目の検知エリアＥ３１〜Ｅ３８のうち、検知エリアＥ２２に対応する（図５中、検知エリアＥ２２の下に位置する）検知エリアＥ３３、Ｅ３４と、それら検知エリアＥ３３、Ｅ３４にそれぞれ隣接する検知エリアＥ３２、Ｅ３５を検知対象として自動車２の検知を行う。従って、３段目の検知エリア群９において、検知エリアＥ３１、Ｅ３６〜Ｅ３８が検知対象外となる。
【００５１】
このようにすれば、車両検知部３ｃが１度に参照する検知エリアは、入口Ｇから遠くなるほど少なくなる。しかも、この場合、単純に参照する検知エリアを少なくしているのではなく、自動車２が移動し得る可能性の少ない検知エリアを参照対象から除外することで参照する検知エリアを少なくしている。従って、本実施形態によれば、自動車２の検知漏れの発生を抑制しつつ、車両検知部３ｃおよび検知エリア設定部３ｂにおける処理負荷を一層軽減することができる。
【００５２】
なお、上記構成において、想定される自動車２の挙動に対し、各検知エリア群７〜９の間隔が広過ぎる、または各検知エリアＥ１１〜Ｅ３８の横幅が狭い場合、２、３段目において参照対象とする検知エリアの数を増やすことで、自動車２の検知（追跡）漏れの発生を確実に抑制することができる。
【００５３】
（第３の実施形態）
以下、本発明の第３の実施形態について、図６を参照して説明する。
車両検知部３ｃは、測距部３ａから与えられる測距データから、検知エリアＥ１１〜Ｅ３８内における自動車２の概略位置を検知することが可能である。そして、検知エリア設定部３ｂは、車両検知部３ｃにより検知される自動車２の概略位置に基づいて、２段目以降の検知エリア群８、９の各検知エリアの配置を次のように調整する（配置調整処理）。
【００５４】
すなわち、検知エリア設定部３ｂは、前段の検知エリア群にて自動車２が検知された検知エリア内における自動車２の概略位置から、自動車２の今後の移動軌跡を予測する。例えば、図６に示すように、１段目の検知エリア群７にて自動車２が検知された検知エリアＥ１１内における自動車２の概略位置の変化が、破線で示すものではなく、実線で示すものであれば、その後の自動車２の移動軌跡も実線で示すものとなることが予測可能である。
【００５５】
検知エリア設定部３ｂは、このように予測した移動軌跡に基づいて、自動車２を検知エリアの幅方向中心で捉えられるように各検知エリアの幅方向の配置を調整する。例えば、図６に示すように、２段目以降の検知エリア群８、９の各検知エリアＥ２１〜Ｅ２４、Ｅ３１〜Ｅ３８の幅方向の配置を自動車２の移動軌跡に沿うように調整する（図６中、左にシフトする）。なお、この場合、検知エリア群８、９において、図６中、左端となる検知エリアＥ２１、Ｅ３１は、その左端が検知エリアＥ１１の左端と揃うように端がカットされているが、カットしなくてもよい。
【００５６】
このように、２段目以降の検知エリア群８、９における検知エリアＥ２１〜Ｅ２４、Ｅ３１〜Ｅ３８の配置を動的に変更すれば、自動車２の検知漏れの発生を一層確実に抑制しつつ、最終的にカメラ４の画角の中央に自動車２のナンバープレート２ａを収めることができる確率が上昇するので、車番認識に必要な撮影画像を一層確実に得ることができる。
【００５７】
（その他の実施形態）
なお、本発明は上記し且つ図面に記載した各実施形態に限定されるものではなく、次のような変形または拡張が可能である。
カメラ４は、ＰＴＺカメラでなくともよく、例えば、入口Ｇから進入する自動車２のナンバープレート２ａを撮影する用途だけに用いるのであれば、少なくともパン動作を実行可能なカメラであればよい。また、カメラ自体に撮影位置（向き）を変更する機能を持たさなくともよく、例えば旋回動作およびその動作制御が可能な取り付け台にカメラを取り付けることで、その撮影位置を変更する機能を実現してもよい。
【００５８】
また、カメラ４は、静止画撮影機能４ｃを備えていなくともよい。その場合、画像処理装置５に、動画から静止画を切り出す機能を持たせればよい。または、画像処理装置５の車番認識機能５ａに、動画から直接車番を認識する機能を持たせればよい。このようにすれば、カメラ４が入口Ｇから敷地内に進入する自動車２を動画撮影機能４ｂにより動画で撮影しても、画像処理装置５において、その自動車２の車番を認識することができる。
【００５９】
測距部３ａとしての機能は、レーザを用いたレーザレーダ装置により実現するだけでなく、例えば音波を用いたレーダ装置など、対象物までの距離を測定する他のレーダ装置により実現することもできる。
【００６０】
検知エリア設定部３ｂは、入口Ｇから敷地内に向けて多段階に検知エリア群を設定すればよい。従って、検知エリア設定部３ｂは、２段階に検知エリア群を設定してもよいし、４段階以上に検知エリア群を設定してもよい。例えば、上記（１）式により求められる間隔ｌが短く、検知エリア群を３段階に設定することが難しい場合、検知エリア群を２段階に設定してもよい。
【００６１】
また、各検知エリア群を構成する検知エリアの数は、「初段の検知エリア群の検知エリアの数が２つ以上である」という条件と「次段以降の検知エリア群の検知エリアの数が前段の検知エリア群における検知エリアの数より多い数である」という条件とを満たすのであれば、必要とする自動車２の検知精度などに応じて適宜変更すればよい。例えば、最終段の検知エリア群を４つの検知エリアにより構成することも可能である。ただし、その場合、初段の検知エリア群を２つの検知エリアにより構成し、２段目の検知エリア群は削除することになる。
【符号の説明】
【００６２】
図面中、２は自動車（車両）、２ａはナンバープレート、３ｂは検知エリア設定部、３ｃは車両検知部、３ｄは撮影制御部、４はカメラ、６はカメラ制御装置、Ｇは入口を示す。
【図１】
2015177333.tif 000003
【図２】
2015177333.tif 000004
【図３】
2015177333.tif 000005
【図４】
2015177333.tif 000006
【図５】
2015177333.tif 000007
【図６】
2015177333.tif 000008